(57)【要約】【課題】媒体の搬送方向と交差する方向に並べて設けられる複数のローラーを有する搬送装置において、インクミストなどの異物が該ローラーに付着し、該異物が該ローラーを介して該媒体に付着して該媒体を汚すことを抑制する。【解決手段】媒体Ｐの搬送部５の少なくとも一部を構成し、媒体Ｐの搬送方向Ａと交差する方向Ｂに並べて設けられる複数のローラー１２と、複数のローラー１２をカバーするカバー部８と、を備え、カバー部８は、該カバー部８と媒体Ｐの搬送経路１５との間に複数のローラー１２が位置するように設けられることを特徴とする搬送装置。【選択図】図３
2015164772.tif 000002
【特許請求の範囲】
【請求項１】
媒体の搬送部の少なくとも一部を構成し、前記媒体の搬送方向と交差する方向に並べて設けられる複数のローラーと、
前記複数のローラーをカバーするカバー部と、を備え、
前記カバー部は、該カバー部と前記媒体の搬送経路との間に前記複数のローラーが位置するように構成されていることを特徴とする搬送装置。
【請求項２】
請求項１に記載の搬送装置において、
前記複数のローラーは、個別に位置を変更可能であり、
前記カバー部は、前記複数のローラーの個別の位置の変更を許容可能に構成されていることを特徴とする搬送装置。
【請求項３】
請求項１又は２に記載の搬送装置において、
前記カバー部は、前記複数のローラーよりも前記搬送方向の下流側に張り出した庇を有することを特徴とする搬送装置。
【請求項４】
請求項１から３のいずれか１項に記載の搬送装置において、
前記複数のローラーを支持する支持部を備え、
前記カバー部は、前記支持部に取り付けられることを特徴とする搬送装置。
【請求項５】
請求項３に記載の搬送装置において、
前記カバー部は、前記庇が張り出す方向と交差する方向に沿って曲げられる曲げ部を有することを特徴とする搬送装置。
【請求項６】
請求項３又は５に記載の搬送装置において、
前記庇は、前記搬送方向の下流側に向かうにしたがって搬送中の前記媒体との距離が大きくなるように構成されていることを特徴とする搬送装置。
【請求項７】
請求項１から６のいずれか１項に記載の搬送装置において、
前記カバー部の構成材料は、金属を含むことを特徴とする搬送装置。
【請求項８】
請求項７に記載の搬送装置において、
前記金属としてステンレスを含むことを特徴とする搬送装置。
【請求項９】
請求項１から８のいずれか１項に記載の搬送装置と、
前記搬送装置で搬送される前記媒体にインクを吐出して記録する記録部と、
を備えることを特徴とする記録装置。
【発明の詳細な説明】
【技術分野】
【０００１】
本発明は、搬送装置及び記録装置に関する。
【背景技術】
【０００２】
従来から、媒体の搬送部としてローラーを有する搬送装置が使用されている。このような搬送装置では、インクミストなどの異物が該ローラーに付着し、該異物が該ローラーを介して該媒体に付着して該媒体を汚す場合があった。  
そこで、例えば、特許文献１には、給送ローラーの下部を覆うカバーを備える記録装置が開示されている。
【先行技術文献】
【特許文献】
【０００３】
【特許文献１】特開２００７−１２６２７２号公報
【発明の概要】
【発明が解決しようとする課題】
【０００４】
近年、媒体の搬送方向と交差する方向に並べて設けられる複数のローラーを有する搬送装置が使用されている。  
しかしながら、媒体の搬送方向と交差する方向に並べて設けられる複数のローラーを有する搬送装置においては、複数のローラーを覆うことは構成上困難である。
【０００５】
そこで、本発明の目的は、媒体の搬送方向と交差する方向に並べて設けられる複数のローラーを有する搬送装置において、インクミストなどの異物が該ローラーに付着し、該異物が該ローラーを介して該媒体に付着して該媒体を汚すことを抑制することである。
【課題を解決するための手段】
【０００６】
上記課題を解決するための本発明の第１の態様の搬送装置は、媒体の搬送部の少なくとも一部を構成し、前記媒体の搬送方向と交差する方向に並べて設けられる複数のローラーと、前記複数のローラーをカバーするカバー部と、を備え、前記カバー部は、該カバー部と前記媒体の搬送経路との間に前記複数のローラーが位置するように構成されていることを特徴とする。
【０００７】
本発明の第２の態様の搬送装置は、前記第１の態様において、前記複数のローラーは、個別に位置を変更可能であり、前記カバー部は、前記複数のローラーの個別の位置の変更を許容可能に構成されていることを特徴とする。
【０００８】
本発明の第３の態様の搬送装置は、前記第１又は第２の態様において、前記カバー部は、前記複数のローラーよりも前記搬送方向の下流側に張り出した庇を有することを特徴とする。
【０００９】
本発明の第４の態様の搬送装置は、前記第１から第３のいずれか１つの態様において、前記複数のローラーを支持する支持部を備え、前記カバー部は、前記支持部に取り付けられることを特徴とする。
【００１０】
本発明の第５の態様の搬送装置は、前記第３の態様において、前記カバー部は、前記庇が張り出す方向と交差する方向に沿って曲げられる曲げ部を有することを特徴とする。
【００１１】
本発明の第６の態様の搬送装置は、前記第３又は第５の態様において、前記庇は、前記搬送方向の下流側に向かうにしたがって搬送中の前記媒体との距離が大きくなるように構成されていることを特徴とする。
【００１２】
本発明の第７の態様の搬送装置は、前記第１から第６のいずれか１つの態様において、前記カバー部の構成材料は、金属を含むことを特徴とする。
【００１３】
本発明の第８の態様の搬送装置は、前記第７の態様において、前記金属としてステンレスを含むことを特徴とする。
【００１４】
本発明の第９の態様の記録装置は、前記第１から第８のいずれか１つの態様の搬送装置と、前記搬送装置で搬送される前記媒体にインクを吐出して記録する記録部と、を備えることを特徴とする。
【発明の効果】
【００１５】
本発明によれば、媒体の搬送方向と交差する方向に並べて設けられる複数のローラーを有する搬送装置において、インクミストなどの異物が該ローラーに付着し、該異物が該ローラーを介して該媒体に付着して該媒体を汚すことを抑制することができる。
【図面の簡単な説明】
【００１６】
【図１】本発明の一実施例に係る記録装置を表す概略側面図。
【図２】本発明の一実施例に係る記録装置の搬送部を表す概略斜視図。
【図３】本発明の一実施例に係る記録装置の搬送部を表す概略斜視図。
【図４】本発明の一実施例に係る記録装置の搬送部を表す概略側面図。
【図５】本発明の一実施例に係る記録装置の搬送部を表す概略平面図。
【図６】本発明の一実施例に係る記録装置の搬送部を表す概略側面断面図。
【図７】本発明の一実施例に係る記録装置の搬送部を表す概略側面断面図。
【図８】本発明の一実施例に係る記録装置の搬送部を表す概略側面断面図。
【図９】本発明の一実施例に係る記録装置の搬送部を表す概略斜視図。
【図１０】本発明の一実施例に係る記録装置の搬送部を表す概略平面図。
【図１１】本発明の一実施例に係る記録装置の搬送部を表す概略平面図。
【発明を実施するための形態】
【００１７】
以下に、本発明の一実施例に係る記録装置について、添付図面を参照して詳細に説明する。  
なお、本実施例の記録装置は、本発明の一実施例に係る搬送装置を搬送部として備える構成であるが、本発明の搬送装置は、記録装置に備えられる構成に限定されない。  
最初に、本発明の一実施例に係る記録装置の概要について説明する。  
図１は、本実施例に係る記録装置１の概略側面図である。
【００１８】
本実施例の記録装置１は、記録を行うためのロール状の被記録媒体ＰのロールＲ１を支持する支持軸２を備えている。そして、本実施例の記録装置１は、被記録媒体Ｐを搬送方向Ａに搬送する際、支持軸２は回転方向Ｃに回転する。なお、本実施例では被記録面が外側になるように巻かれているロール式の被記録媒体Ｐを使用しているが、被記録面が内側になるように巻かれているロール式の被記録媒体Ｐを使用する場合は、支持軸２の回転方向Ｃとは逆回転してロールＲ１を送り出すことが可能である。  
また、本実施例の記録装置１は被記録媒体Ｐとしてロール式の被記録媒体を使用しているが、このようなロール式の被記録媒体を使用する記録装置に限定されない。例えば、単票式の被記録媒体を用いてもよい。
【００１９】
また、本実施例の記録装置１は、被記録媒体Ｐを搬送方向Ａに搬送するための、駆動ローラー１１と従動ローラー１２とからなる搬送ローラー対を有する搬送装置としての搬送部５を備えている。  
なお、本実施例の記録装置１では、駆動ローラー１１は被記録媒体Ｐの搬送方向Ａと交差する方向Ｂに延びる１本のローラーで構成されており、従動ローラー１２は駆動ローラー１１と対向する位置において方向Ｂに複数並べて設けられている。詳細には、従動ローラー１２が方向Ｂに複数並べられた状態で支持部７に支持された従動ローラーユニット１３（図５参照）が、方向Ｂに複数並べられている。
【００２０】
また、従動ローラー１２の上部には、複数の従動ローラー１２をカバーするカバー部８が設けられている。
【００２１】
なお、媒体支持部３の下部には、媒体支持部３に支持された被記録媒体Ｐを加熱可能な不図示のヒーターが設けられている。このように、本実施例の記録装置１は、媒体支持部３側から被記録媒体Ｐを加熱可能なヒーターを備えているが、媒体支持部３と対向する位置に設けられる赤外線ヒーター等を備えていてもよい。赤外線ヒーターを用いる場合、好ましい赤外線の波長は０．７６〜１０００μｍである。一般的に、赤外線は波長によってさらに、近赤外線、中赤外線、遠赤外線に区分され、区分の定義は様々であるが、おおよそ波長域は、０．７８〜２．５μｍ、２．５〜４．０μｍ、４．０〜１０００μｍとなる。なかでも中赤外線を用いることが好ましい。
【００２２】
また、本実施例の記録装置１は、複数のノズルが設けられたノズル形成面の該ノズルからインクを吐出して記録する記録部としての記録ヘッド４と、該記録ヘッド４を搭載して方向Ｂに往復移動可能なキャリッジ６と、を備えている。  
なお、本実施例の記録装置１は、往復移動しながら記録する記録ヘッド４を備えているが、インクを吐出するノズルを方向Ｂに複数設けた所謂ラインヘッドを備える記録装置でもよい。  
ここで、「ラインヘッド」とは、被記録媒体Ｐの搬送方向Ａと交差する方向Ｂに形成されたノズルの領域が、前記被記録媒体Ｐの方向Ｂ全体をカバー可能なように設けられ、記録ヘッド及び被記録媒体を相対的に移動させて画像を形成する記録装置に用いられる記録ヘッドである。なお、ラインヘッドの方向Ｂのノズルの領域は、記録装置が対応している全ての被記録媒体Ｐの方向Ｂ全体をカバー可能でなくてもよい。
【００２３】
また、記録機構５の被記録媒体Ｐの搬送方向Ａにおける下流側には、被記録媒体ＰをロールＲ２として巻き取り可能な巻取軸１０が備えられている。なお、本実施例では被記録面が外側になるように被記録媒体Ｐを巻き取るので、被記録媒体Ｐを巻き取る際、巻取軸１０は回転方向Ｃに回転する。一方、被記録面が内側になるように巻き取る場合は、回転方向Ｃとは逆回転して巻き取ることが可能である。
【００２４】
また、媒体支持部３における被記録媒体Ｐの搬送方向Ａにおける下流側の端部と、巻取軸１０と、の間には、被記録媒体Ｐとの接触部が方向Ｂに延設され、被記録媒体Ｐに所望のテンションを付与することが可能なテンションバー９が設けられている。
【００２５】
次に、本実施例の記録装置１の要部である搬送部５について説明する。  
図２及び図３は本実施例の搬送部５を表す概略斜視図であり、図２は記録装置１の正面上方から搬送部５を見た概略斜視図であり、図３は記録装置１の斜め上方から搬送部５を見た概略斜視図である。  
また、図４は、本実施例の搬送部５を表す概略側面図である。
【００２６】
本実施例の記録装置１は、図２から図４で表されるように、被記録媒体Ｐの搬送部５の少なくとも一部を構成し、被記録媒体Ｐの搬送方向Ａと交差する方向Ｂに並べて設けられる複数の従動ローラー１２と、複数の従動ローラー１２をカバーするカバー部８と、を備えている。  
そして、図３及び図４で表されるように、カバー部８は、該カバー部８と、被記録媒体Ｐの搬送経路の一部を構成する駆動ローラー１１及び従動ローラー１２のニップ位置１５と、の間に、複数の従動ローラー１２が位置するように構成されている。
【００２７】
このため、複数の従動ローラー１２は被記録媒体Ｐとカバー部８とに挟まれるので、従動ローラー１２より上方で漂うインクミストなどの異物が降りてきて従動ローラー１２に付着することを抑制している。したがって、該異物が該従動ローラー１２を介して該被記録媒体Ｐに付着して該被記録媒体Ｐを汚すことを抑制している。  
なお、本実施例のカバー部８は、複数の従動ローラー１２各々の全ての部分をカバーする構成であるが、複数の従動ローラー１２各々の一部分をカバーする構成であってもよい。また、本実施例のカバー部８は、複数の従動ローラー１２のうちの全てのローラーをカバーする構成であるが、複数の従動ローラー１２のうちの全てではない２つ以上のローラーをカバーする構成であってもよい。カバー部８の構成は、被記録媒体Ｐの大きさや、インクミストなどの異物の発生状態や発生分布の傾向などにより決めることができる。
【００２８】
また、本実施例のカバー部８は、図２から図４で表されるように、複数の従動ローラー１２よりも搬送方向Ａの下流側に張り出した庇１６を有している。  
このため、該庇１６により、従動ローラー付近に降りてくるインクミストなどの異物を静電気等により引き寄せて付着するのを減少させることができ、複数の従動ローラー１２にインクミストなどの異物が付着することを効果的に抑制している。
【００２９】
また、本実施例の従動ローラーユニット１３は、図４で表されるように、従動ローラー１２を支持する支持部７を備えており、カバー部８は、従動ローラーユニット１３の取付部１４において支持部７に取り付けられている。このように、簡単な構成でカバー部８を搬送部５に設けている。  
また、カバー部８が従動ローラーユニット１３の取付部１４において支持部７に取り付けられていることで、カバー部８と従動ローラー１２との距離を所定の範囲に保つことができ、複数の従動ローラー１２にインクミストなどの異物が付着することを効果的に抑制している。
【００３０】
また、本実施例のカバー部８の庇１６は、図３及び図４で表されるように、搬送方向Ａに張り出しており、搬送方向Ａと交差する方向である方向Ｂに沿って曲げられる曲げ部１７を有している。このように曲げ部１７を有することで、カバー部８は、長手方向である方向Ｂの強度が特に高く構成されている。
【００３１】
また、本実施例のカバー部８の庇１６は、図４で表されるように、搬送方向Ａの下流側に向かうにしたがって搬送中の被記録媒体Ｐとの距離が大きくなるように構成されている。具体的には、庇１６の搬送方向Ａの上流側における被記録媒体Ｐとの距離Ｌ１よりも、庇１６の搬送方向Ａの下流側における被記録媒体Ｐとの距離Ｌ２は大きくなっている。  
このような構成により、被記録媒体Ｐを搬送方向Ａとは逆方向に逆搬送した場合に、被記録媒体Ｐが庇１６に引っ掛かるということを抑制している。
【００３２】
また、本実施例のカバー部８の構成材料は、金属を含んでいる。詳細には、本実施例のカバー部８は、前記金属としてステンレスを含んでいる。  
このため、カバー部８を特に高い強度で構成している。
【００３３】
次に、カバー部８を従動ローラーユニット１３に取り付ける取付部１４について説明する。  
図５は本実施例の搬送部５を表す概略平面図であり、図６から図８は本実施例の搬送部５を表す概略側面断面図である。図９は本実施例の搬送部５における取付部１４を表す概略斜視図であり、図１０及び図１１は本実施例の搬送部５における取付部１４を表す概略平面図である。  
ここで、図６は図５のＸ−Ｘ面で切断した断面図であり、図７は図５のＹ−Ｙ面で切断した断面図であり、図８は図５のＺ−Ｚ面で切断した断面図である。  
また、図９は従動ローラーユニット１３の支持部７にカバー部８の第１取付部材１８を取り付ける際の様子を表す図である。  
そして、図１０は第１取付部材１８に第２取付部材１９を取り付ける際の様子を表す図であり、図５から図８と図１１は第１取付部材１８に第２取付部材１９が取り付けられた状態を表す図である。
【００３４】
図５から図１１で表されるように、本実施例の搬送部５における取付部１４は、従動ローラーユニット１３の支持部７にカバー部８の第１取付部材１８が取り付けられ、該第１取付部材１８に第２取付部材１９が取り付けられて構成される。そして、第１取付部材１９にカバー部８が取り付けられることにより、カバー部８は従動ローラーユニット１３に取り付けられる。
【００３５】
なお、図２及び図３で表されるように、カバー部８は複数の従動ローラーユニット１３のうち、一部の従動ローラーユニット１３に取り付けられる。ここで、従動ローラーユニット１３は、駆動ローラー１１と接近及び離間する方向に移動可能に設けられているので、カバー部８が全ての従動ローラーユニット１３に取り付けられるのではなく、一部の従動ローラーユニット１３に取り付けられることで、各従動ローラーユニット１３は、個別に移動可能である。
【００３６】
これを別の表現にすると、複数の従動ローラー１２は、個別に位置を変更可能であり、カバー部８は、複数の従動ローラー１２の個別の位置の変更を許容可能に構成されていると言える。このため、本実施例の記録装置１は、様々な厚さの被記録媒体Ｐを使用できる。  
ここで、「個別に位置を変更可能」とは、複数の従動ローラー１２のうちの１個ずつの単位で位置を変更可能な構成のほか、本実施例のように複数の従動ローラー１２のうちの複数個ずつの単位で位置を変更可能な構成も含む意味である。
【００３７】
取付部１４の構成について詳細に説明すると、図９で表されるように、第１取付部材１８は支持部７に対して上方から方向Ｄに嵌め込むことにより、支持部７に対して位置決めされる。そして、図１０で表されるように、第２取付部材１９は第１取付部材１８に対して上方から方向Ｅに嵌め込むことにより、支持部７に対して位置決めされる。そして、図６、図７及び図１１で表されるように、第２取付部材１９を第１取付部材１８とともに支持部７に対してネジ２０でネジ止めすることで、取付部１４は従動ローラーユニット１３に固定される。  
そして、図２から図４で表されるように、カバー部８は第１取付部材１８に対してネジ止めされて固定される。  
このように、本実施例のカバー部８は従動ローラーユニット１３にネジ止めされて固定されているので、交換や清掃などのために簡単に着脱することができる。
【００３８】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００３９】
本発明の第１の態様の搬送装置５は、媒体Ｐの搬送部５の少なくとも一部を構成し、媒体Ｐの搬送方向Ａと交差する方向Ｂに並べて設けられる複数のローラー１２と、複数のローラー１２をカバーするカバー部８と、を備え、カバー部８は、該カバー部８と媒体Ｐの搬送経路１５との間に複数のローラー１２が位置するように構成されていることを特徴とする。
【００４０】
ここで、「複数のローラー１２をカバーするカバー部８」とは、複数のローラー１２各々の全ての部分をカバーするもののほか、複数のローラー１２各々の一部分をカバーするものも含む意味である。また、複数のローラー１２のうちの全てのローラー１２をカバーするもののほか、複数のローラー１２のうちの全てではない２つ以上のローラー１２をカバーするものも含む意味である。  
本態様によれば、カバー部８は、該カバー部８と媒体Ｐの搬送経路との間に複数のローラー１２が位置するように設けられる。このため、複数のローラー１２は媒体Ｐとカバー部８とに挟まれるので、複数のローラー１２にインクミストなどの異物が付着することを抑制できる。したがって、該異物が該ローラー１２を介して該媒体Ｐに付着して該媒体Ｐを汚すことを抑制することができる。
【００４１】
本発明の第２の態様の搬送装置５は、前記第１の態様において、複数のローラー１２は、個別に位置を変更可能であり、カバー部８は、複数のローラー１２の個別の位置の変更を許容可能に構成されていることを特徴とする。
【００４２】
複数のローラー１２が個別に位置を変更可能であれば様々な厚さの媒体Ｐを使用できるが、本態様によれば、カバー部８は複数のローラー１２の個別の位置の変更を許容可能に設けられるので、媒体Ｐを汚すことを抑制しつつ、様々な厚さの媒体Ｐを使用できる。  
ここで、「個別に位置を変更可能」とは、複数のローラー１２のうちの１個ずつの単位で位置を変更可能な構成のほか、複数のローラー１２のうちの複数個ずつの単位で位置を変更可能な構成も含む意味である。
【００４３】
本発明の第３の態様の搬送装置５は、前記第１又は第２の態様において、カバー部８は、複数のローラー１２よりも搬送方向Ａの下流側に張り出した庇１６を有することを特徴とする。
【００４４】
本態様によれば、カバー部８は、複数のローラー１２よりも搬送方向Ａの下流側に張り出した庇１６を有する。このため、該庇１６により、複数のローラー１２にインクミストなどの異物が付着することを効果的に抑制できる。
【００４５】
本発明の第４の態様の搬送装置５は、前記第１から第３のいずれか１つの態様において、複数のローラー１２を支持する支持部７を備え、カバー部８は、支持部７に取り付けられることを特徴とする。
【００４６】
本態様によれば、カバー部８は支持部７に取り付けられる。このため、カバー部８を簡単に設けることができる。  
また、カバー部８が支持部７に取り付けられていることで、カバー部８とローラー１２との距離を所定の範囲に保つことができ、複数の従動ローラー１２にインクミストなどの異物が付着することを効果的に抑制している。
【００４７】
本発明の第５の態様の搬送装置５は、前記第３の態様において、カバー部８は、庇１６が張り出す方向Ａと交差する方向Ｂに沿って曲げられる曲げ部１７を有することを特徴とする。
【００４８】
本態様によれば、カバー部８は、庇１６が張り出す方向Ａと交差する方向Ｂに沿って曲げられる曲げ部１７を有する。このように曲げ部１７を有することで、カバー部８の庇１６が張り出す方向Ａと交差する方向Ｂの強度が増し、特に長手方向において高い強度となるカバー部８を構成できる。
【００４９】
本発明の第６の態様の搬送装置５は、前記第３又は第５の態様において、庇１６は、搬送方向Ａの下流側に向かうにしたがって搬送中の媒体Ｐとの距離が大きくなるように構成されていることを特徴とする。
【００５０】
本態様によれば、庇１６は、搬送方向Ａの下流側に向かうにしたがって搬送中の媒体Ｐとの距離が大きくなるように構成されている。このため、例えば、媒体Ｐを搬送方向Ａとは逆方向に逆搬送した場合に、媒体Ｐが庇１６に引っ掛かるということを抑制できる。
【００５１】
本発明の第７の態様の搬送装置５は、前記第１から第６のいずれか１つの態様において、カバー部８の構成材料は、金属を含むことを特徴とする。
【００５２】
本態様によれば、カバー部８の構成材料は金属を含む。このため、カバー部８を高い強度で構成できる。
【００５３】
本発明の第８の態様の搬送装置５は、前記第７の態様において、前記金属としてステンレスを含むことを特徴とする。
【００５４】
本態様によれば、カバー部８の構成材料はステンレスを含む。このため、カバー部８を特に高い強度で構成できる。
【００５５】
本発明の第９の態様の記録装置１は、前記第１から第８のいずれか１つの態様の搬送装置５と、搬送装置５で搬送される媒体Ｐにインクを吐出して記録する記録部４と、を備えることを特徴とする。
【００５６】
本態様によれば、前記第１から第８のいずれか１つの態様の搬送装置５を備える。このため、複数のローラー１２にインクミストなどの異物が付着することを抑制できる。したがって、該異物が該ローラー１２を介して該媒体Ｐに付着して該媒体Ｐを汚すことを抑制することができる。
【符号の説明】
【００５７】
１  記録装置、２  支持軸、３  媒体支持部、４  記録ヘッド（記録部）、
５  搬送部（搬送装置）、６  キャリッジ、７  支持部、８  カバー部、
９  テンションバー、１０  巻取軸、１１  駆動ローラー、
１２  従動ローラー（ローラー）、１３  従動ローラーユニット、１４  取付部、
１５  駆動ローラー及び従動ローラーのニップ位置（被記録媒体の搬送経路）、
１６  庇、１７  曲げ部、１８  第１取付部材、１９  第２取付部材、
２０  ネジ、Ｐ  被記録媒体、Ｒ１  被記録媒体のロール、Ｒ２  被記録媒体のロール
【図１】
2015164772.tif 000003
【図２】
2015164772.tif 000004
【図３】
2015164772.tif 000005
【図４】
2015164772.tif 000006
【図５】
2015164772.tif 000007
【図６】
2015164772.tif 000008
【図７】
2015164772.tif 000009
【図８】
2015164772.tif 000010
【図９】
2015164772.tif 000011
【図１０】
2015164772.tif 000012
【図１１】
2015164772.tif 000013